(57)【要約】【課題】接着取り付け、商品の雌ネジ部等を利用した取り付けによるのではなく、そのような取付けが不可能又は困難な商品についても、盗難検出可能に、簡単に取り付けることができる盗難検出器を提供する。かかる検出器を利用した商品盗難監視装置を提供する。【解決手段】検出器ケース３４に設けたスイッチ３１と、スイッチ３１に接続され、ループを描いて再びケース３４内に挿通され警報装置１に接続される商品保持紐を兼ねる通電コード２と、スイッチ操作部材３２と、コード挟着解放機構４と、ケース蓋体３５とを備え、蓋体３５をケース３４に装着すると、部材３２がスイッチ３１を閉じる位置Ｐ１に配置されるとともに機構４がコード２を挟着し、蓋体３５を外すと部材３２がバネ３３にてスイッチ３１を開く位置Ｐ２に配置されるとともに機構４がコード２を解放する盗難検出器３。検出器３はコードループ部分２１を商品Ｗに巻き付けて取り付ける。【選択図】  図５
2004355169.tif 000002
【特許請求の範囲】
【請求項１】
スイッチ接点を開閉するための可動子を有し、検出器ケース内に配置された検出用スイッチと、
該スイッチに接続され、該検出器ケース外へ出てループを描いたのち該検出器ケース内に挿通されて引き出される商品保持紐を兼ねる通電コードと、
前記スイッチの可動子をスイッチ接点を閉じる位置に配置するための第１位置と該可動子をスイッチ接点を開く位置に配置するための第２位置との間を往復動可能に前記検出器ケース内に設けられたスイッチ操作部材と、
該スイッチ操作部材に該第２位置へ向け偏らせる力を付与するバネ部材と、
前記検出器ケース内において前記通電コードを移動不能に保持する保持位置と該コードを移動可能に解放する解放位置とをとることができるコード保持解放機構と、
前記検出器ケースに挿通された通電コードが通され、該ケースに着脱可能のケース蓋体とを含んでおり、
前記スイッチ操作部材は該ケース蓋体を前記検出器ケースに装着すると該蓋体により前記バネ部材に抗して前記第１位置に配置され、該ケース蓋体を該検出器ケースから外すと該バネ部材により前記第２位置に配置され、
前記コード保持解放機構は、該ケース蓋体を前記検出器ケースに装着すると該蓋体により前記保持位置に設定され、該ケース蓋体を該検出器ケースから外すと前記解放位置に設定されることを特徴とする盗難検出器。
【請求項２】
前記検出用スイッチの可動子はスイッチ本体側へ押圧されるとスイッチ接点を閉じ、該押圧力が解除されるとスイッチ本体の外方へ突出してスイッチ接点を開く可動子であり、
前記検出器ケースは第１収容部及び第２収容部を有し、該第２収容部は前記ケース蓋体に向けられる一端部が開放され、他端部に前記通電コードを通したコード通し孔を有する奥壁を備えており、前記スイッチは該第１収容部に配置されて前記可動子が該第２収容部へ突出可能であり、前記バネ部材及びスイッチ操作部材はこの順序で該第２収容部に奥側から順次配置され、
該スイッチ操作部材は前記通電コードを挿通させたコード通し孔を有し、前記ケース蓋体に向けられる一端部に該通電コードを挿通させた拡縮部が連設されており、他端部側には前記スイッチ可動子のスイッチ接点開成のための突出を許す可動子受入れ部及び該可動子にスイッチ接点閉成のための押圧力を与える可動子押圧部を有しており、
該スイッチ操作部材の前記第１位置は該可動子押圧部にて該可動子を押圧する位置であり、前記第２位置は該可動子受入れ部に該可動子を受け入れる位置であり、前記拡縮部と前記第２収容部の一端部とで前記コード保持解放機構が構成されており、
前記ケース蓋体を前記検出器ケースに装着すると該蓋体により該拡縮部が前記第２収容部の一端部に押し込まれ絞られて前記保持位置に設定されるとともに該スイッチ操作部材が前記第１位置に配置され、該蓋体を前記検出器ケースから外すと、該スイッチ操作部材が前記バネ部材により前記第２位置に配置されるとともに該拡縮部が該第２収容部外へ押し出され拡開して前記解放位置に設定される請求項１記載の盗難検出器。
【請求項３】
前記コード保持解放機構における前記拡縮部は前記通電コードの周囲に所定中心角度間隔で配置され、前記スイッチ操作部材の一端部に一体的に形成されるとともに片持ち支持された挟着用部材からなっており、前記検出器ケースにおける第２収容部の一端部は該挟着用部材が出入り可能に環状に形成されている請求項２記載の盗難検出器。
【請求項４】
前記検出用スイッチの可動子はスイッチ本体側へ押圧されるとスイッチ接点を閉じ、該押圧力が解除されるとスイッチ本体外方へ突出してスイッチ接点を開く可動子であり、
前記ケース蓋体は前記検出器ケース内に向けられる端部に前記通電コードを挿通した拡縮部が連設されており、
前記検出器ケースは第１収容部及び第２収容部を有し、該第２収容部は前記ケース蓋体に向けられる一端部が開放され、他端部に前記通電コードを挿通したコード通し孔を有する奥壁を備えており、前記スイッチは該第１収容部に配置されて前記可動子が該第２収容部へ突出可能であり、前記バネ部材及びスイッチ操作部材はこの順序で該第２収容部に奥側から順次配置され、
該スイッチ操作部材は前記通電コードを挿通させたコード通し孔を有するとともに前記スイッチ可動子のスイッチ接点開成のための突出を許す可動子受入れ部及び該可動子にスイッチ接点閉成のための押圧力を与える可動子押圧部を有しており、
該スイッチ操作部材の前記第１位置は該可動子押圧部にて該可動子を押圧する位置であり、前記第２位置は該可動子受入れ部に該可動子を受け入れる位置であり、前記拡縮部と前記第２収容部の一端部とで前記コード保持解放機構が構成されており、
前記ケース蓋体を前記検出器ケースに装着すると該拡縮部が該第２収容部の一端部に入り込んで絞られ前記保持位置に設定されるとともに該スイッチ操作部材が該拡縮部に押されて前記第１位置に配置され、該蓋体を前記検出器ケースから外すと、該拡縮部は前記第２収容部の一端部から脱して拡がり前記解放位置に設定されるとともに該スイッチ操作部材が前記バネ部材により前記第２位置に配置される請求項１記載の盗難検出器。
【請求項５】
請求項１から４のいずれかに記載の盗難検出器を少なくとも一つと、該盗難検出器が接続される警報装置とを有し、該警報装置は、少なくとも一つの前記盗難検出器について、前記検出用スイッチのスイッチ接点が開く、前記通電コードにおいて断線が生じる、該通電コードが警報装置から外されるのうちいずれかの事態が発生すると警報を発することを特徴とする商品盗難監視装置。
【発明の詳細な説明】
【０００１】
【発明の属する技術分野】
本発明は、商品が万引き等されるのを防止、抑止するための盗難検出器及びこれを採用した商品盗難監視装置に関する。
【０００２】
【従来の技術】
店頭に展示などされる商品が万引き等されるのを防止、抑止するための商品盗難監視装置等についてはこれまで様々のものが提案されてきた。例えば、特開２００３−３０７５７号公報や特開２００３−７７０７３号公報は、商品に取付けられる盗難検出器を通電コードにて警報装置に接続する商品盗難監視装置を開示している。
【０００３】
いずれの公報が開示する監視装置においても、かかる盗難検出器として検出用スイッチを含むものを採用している。そして該スイッチとしてスイッチ接点を開閉するための可動子を有し、該可動子がスイッチ本体側へ押圧されるとスイッチ接点が閉じられ、該押圧力が解除されると該可動子がスイッチ本体外方へ突出してスイッチ接点が開かれるものを採用している。
【０００４】
かかる盗難検出器を監視対象商品に取り付けるにあたっては、該スイッチの可動子をスイッチ本体側へ押し込んでスイッチ接点を閉じた状態で監視対象商品に接着剤、ネジ機構（カメラ等の商品における雌ネジ利用のもの）等により固定し、商品に取り付けたそれら検出器のうち少なくとも一つにおいてスイッチ接点が開いたり、該検出器を警報装置へ接続しているコードが切断されたりすると、警報装置において警報を発するようにしている。
【０００５】
【特許文献１】特開２００３−３０７５７号公報
【特許文献２】特開２００３−７７０７３号公報
【０００６】
【発明が解決しようとする課題】
しかしながら、かかる従来の盗難検出器の商品への取付け手法についてみると、該検出器を接着剤、ネジ機構等により取り付けることが可能な商品については支障はないが、そのような検出器取付け部位が得られない、又は得難い商品、例えば、眼鏡、サングラス、カメラ用望遠レンズ等については盗難検出器の取付けは不可能か、困難であり、仮に例えば接着剤で取り付けても、大きい接着面積が得られないことが多く、すぐに外れて、誤作動することが多々ある。
【０００７】
そこで本発明は、接着剤により接着取り付けしたり、商品に設けられている雌ネジ部等を利用して取り付けるといった手法によるのではなく、そのような取付けが不可能又は困難な商品についても、盗難検出可能に、簡単に取り付けることができる盗難検出器を提供することを課題とする。
【０００８】
また本発明は、商品に取り付けるべき盗難検出器の、接着剤や商品に設けられている雌ネジ部等を利用する取り付けが不可能又は困難な監視対象商品についても商品盗難を監視できる商品盗難監視装置を提供することを課題とする。
【０００９】
【課題を解決するための手段】
本発明は前記課題を解決するため次の盗難検出器及び商品盗難監視装置を提供する。
（１）商品に取り付ける盗難検出器
スイッチ接点を開閉するための可動子を有し、検出器ケース内に配置された検出用スイッチと、
該スイッチに接続され、該検出器ケース外へ出てループを描いたのち該検出器ケース内に挿通されて引き出される商品保持紐を兼ねる通電コードと、
前記スイッチの可動子をスイッチ接点を閉じる位置に配置するための第１位置と該可動子をスイッチ接点を開く位置に配置するための第２位置との間を往復動可能に前記検出器ケース内に設けられたスイッチ操作部材と、
該スイッチ操作部材に該第２位置へ向け偏らせる力を付与するバネ部材と、
前記検出器ケース内において前記通電コードを移動不能に保持する保持位置と該コードを移動可能に解放する解放位置とをとることができるコード保持解放機構と、
前記検出器ケースに挿通された通電コードが通され、該ケースに着脱可能のケース蓋体とを含んでおり、
前記スイッチ操作部材は該ケース蓋体を前記検出器ケースに装着すると該蓋体により前記バネ部材に抗して前記第１位置に配置され、該ケース蓋体を該検出器ケースから外すと該バネ部材により前記第２位置に配置され、
前記コード保持解放機構は、該ケース蓋体を前記検出器ケースに装着すると該蓋体により前記保持位置に設定され、該ケース蓋体を該検出器ケースから外すと前記解放位置に設定される盗難検出器。
【００１０】
この盗難検出器は次のようにして簡単に盗難監視対象商品に取り付けることができる。すなわち、ケース蓋体を検出器ケースから外し、通電コードが検出器ケース内外で移動可能な状態としておき、かかる状態で、検出器ケースからループ状に引き出された通電コード部分を、その長さを自由に調節して盗難監視対象商品の適当な部分（眼鏡であれば例えばそのつる部分）に嵌め、次いでケース蓋体側へ引き出されている通電コード部分を持って引き寄せることで、該ループ部分を商品に、該商品が脱離しないようにしっかりと巻き付け、この状態を維持したままケース蓋体を通電コードに沿って検出器ケースへ移動させ、該ケースに装着する。
【００１１】
すると、ケース蓋体の検出器ケースへの装着に伴い、検出器ケース内ではコード保持解放機構が該蓋体により保持位置に設定され、これにより、商品にしっかりと巻き付けられた通電コードは緩みが防止され、商品にしっかりと巻き付けられた状態が維持されるとともに、スイッチ操作部材が、バネ部材に抗して、検出用スイッチのスイッチ接点を閉じる第１位置に配置され、その位置に維持される。この状態でケース蓋体から引き出されている通電コードを警報装置に接続することで、該商品の盗難を監視することができる。
【００１２】
かかる警報装置としては、それに接続された盗難検出器におけるスイッチ接点が開いたり、該盗難検出器を警報装置へ接続している通電コードが切断されるなどして断線したり、該コードが警報装置から外されるなどすると警報を発するものを採用すればよい。
【００１３】
商品を万引きしようとする者など、許可されない人物が商品に取り付けられたかかる盗難検出器について、商品を通電コードループから取り外そうとしてケース蓋体を検出器ケースから外すと、スイッチ操作部材がバネ部材に付勢されて前記第２位置に配置されるとともにコード保持解放機構が解放位置に設定され、該操作部材の第２位置への配置により検出用スイッチの可動子がスイッチ接点を開く位置に突出し、かくしてそのような行為が検出可能となる。
【００１４】
また、許可されない人物が商品に取り付けられた盗難検出器について、商品を取り外そうと通電コードを切断したり、無理やり引っ張って断線させたり、或いは通電コードを警報装置から抜いたりすると、スイッチ接点が開成された場合と同様にかかる行為を検出できる状態となる。
【００１５】
以上説明した盗難検出器のより具体的な例として次のものを例示できる。
すなわち、
前記検出用スイッチの可動子はスイッチ本体側へ押圧されるとスイッチ接点を閉じ、該押圧力が解除されるとスイッチ本体の外方へ突出してスイッチ接点を開く可動子であり、
前記検出器ケースは第１収容部及び第２収容部を有し、該第２収容部は前記ケース蓋体に向けられる一端部が開放され、他端部に前記通電コードを通したコード通し孔を有する奥壁を備えており、前記スイッチは該第１収容部に配置されて前記可動子が該第２収容部へ突出可能であり、前記バネ部材及びスイッチ操作部材はこの順序で該第２収容部に奥側から順次配置され、
該スイッチ操作部材は前記通電コードを挿通させたコード通し孔を有し、前記ケース蓋体に向けられる一端部に該通電コードを挿通させた拡縮部が連設されており、他端部側には前記スイッチ可動子のスイッチ接点開成のための突出を許す可動子受入れ部及び該可動子にスイッチ接点閉成のための押圧力を与える可動子押圧部を有しており、
該スイッチ操作部材の前記第１位置は該可動子押圧部にて該可動子を押圧する位置であり、前記第２位置は該可動子受入れ部に該可動子を受け入れる位置であり、前記拡縮部と前記第２収容部の一端部とで前記コード保持解放機構が構成されており、
前記ケース蓋体を前記検出器ケースに装着すると該蓋体により該拡縮部が前記第２収容部の一端部に押し込まれ絞られて前記保持位置に設定されるとともに該スイッチ操作部材が前記第１位置に配置され、該蓋体を前記検出器ケースから外すと、該スイッチ操作部材が前記バネ部材により前記第２位置に配置されるとともに該拡縮部が該第２収容部外へ押し出され拡開して前記解放位置に設定される盗難検出器である。
【００１６】
この盗難検出器の場合、前記コード保持解放機構における前記拡縮部として、例えば、前記通電コードの周囲に所定中心角度間隔で配置され、前記スイッチ操作部材の一端部に一体的に形成されるとともに片持ち支持された挟着用部材からなるものを、そして、前記検出器ケースにおける第２収容部の一端部として、例えば、該挟着用部材が出入り可能に環状に形成されているものを挙げることができる。
【００１７】
また、盗難検出器のもう一つの具体的な例として、次のものを挙げることもできる。すなわち、
前記検出用スイッチの可動子はスイッチ本体側へ押圧されるとスイッチ接点を閉じ、該押圧力が解除されるとスイッチ本体の外方へ突出してスイッチ接点を開く可動子であり、
前記ケース蓋体は前記検出器ケース内に向けられる端部に前記通電コードを挿通した拡縮部が連設されており、
前記検出器ケースは第１収容部及び第２収容部を有し、該第２収容部は前記ケース蓋体に向けられる一端部が開放され、他端部に前記通電コードを挿通したコード通し孔を有する奥壁を備えており、前記スイッチは該第１収容部に配置されて前記可動子が該第２収容部へ突出可能であり、前記バネ部材及びスイッチ操作部材はこの順序で該第２収容部に奥側から順次配置され、
該スイッチ操作部材は前記通電コードを挿通させたコード通し孔を有するとともに前記スイッチ可動子のスイッチ接点開成のための突出を許す可動子受入れ部及び該可動子にスイッチ接点閉成のための押圧力を与える可動子押圧部を有しており、
該スイッチ操作部材の前記第１位置は該可動子押圧部にて該可動子を押圧する位置であり、前記第２位置は該可動子受入れ部に該可動子を受け入れる位置であり、前記拡縮部と前記第２収容部の一端部とで前記コード保持解放機構が構成されており、
前記ケース蓋体を前記検出器ケースに装着すると該拡縮部が該第２収容部の一端部に入り込んで絞られ前記保持位置に設定されるとともに該スイッチ操作部材が該拡縮部に押されて前記第１位置に配置され、該蓋体を前記検出器ケースから外すと、該拡縮部は前記第２収容部の一端部から脱して拡がり前記解放位置に設定されるとともに該スイッチ操作部材が前記バネ部材により前記第２位置に配置される盗難検出器である。
【００１８】
この盗難検出器の場合、前記コード保持解放機構における前記拡縮部として、例えば、通電コードの周囲に所定中心角度間隔で配置され、前記ケース蓋体の端部に一体的に形成されるとともに片持ち支持された挟着用部材からなるものを、そして、前記検出器ケースにおける第２収容部の一端部として、例えば、該挟着用部材が出入り可能に環状に、且つ、ケース蓋体側へ向け漸次拡開するように形成されたものを挙げることができる。
【００１９】
（２）商品盗難監視装置
以上説明したいずれかの盗難検出器を少なくとも一つと、該盗難検出器が接続される警報装置とを有し、該警報装置は、少なくとも一つの前記盗難検出器について、前記検出用スイッチのスイッチ接点が開く、前記通電コードにおいて断線（コード切断を含む）が生じる、該通電コードが警報装置から外されるのうちいずれかの事態が発生すると警報を発する商品盗難監視装置。
かかる警報装置としては、例えば、先に掲記した特開２００３−３０７５７号公報や特開２００３−７７０７３号公報に開示されている警報装置と同じ原理のものを採用できる。
【００２０】
【発明の実施の形態】
以下、図面を参照して本発明の実施形態について説明する。
図１は本発明の１実施形態に係る商品盗難監視装置の概略構成を示す図であり、図２は該監視装置の電気回路図であり、図３は商品への取付け前の盗難検出器の断面図である。図４（Ａ）は図３のＸ−Ｘ線に沿う断面図であり、図４（Ｂ）はスイッチ操作部材の平面図である。図５は商品へ取り付けた状態の盗難検出器の断面図である。
【００２１】
図示の商品盗難監視装置１０は、警報装置１及び複数の盗難検出器３を備えており、各盗難検出器３は通電コード２にて警報装置１に接続されている。各盗難検出器３は次のものである。
【００２２】
図３に示すように、盗難検出器３は、検出用スイッチ３１と、スイッチ操作部材３２と、該部材を押す圧縮コイルバネ３３と、これらを収容する検出器ケース３４と、該ケースの蓋体３５と、スイッチ３１に接続され、自由端部にコネクタ２０を有する通電コード２とを備えている。
【００２３】
検出用スイッチ３１は可動子３１１及び開閉されるスイッチ接点３１２を有している。可動子３１１は図３に示す状態からスイッチ本体側へ押圧されると図５に示すようにスイッチ接点３１２を閉じ、該押圧力が解除されると、図３に示すようにスイッチ本体の外方へ突出してスイッチ接点３１２の開成を可能にする。
【００２４】
検出器ケース３４は、図４（Ａ）にも示すように、円筒形の第１収容部３４１及び円筒形の第２収容部３４２を有している。収容部３４２は収容部３４１と長手方向中心軸線を同じくしており、収容部３４１と同心の内筒の恰好に形成されている。収容部３４１と３４２との間には補強部３４０、３４０’が形成されている。
【００２５】
収容部３４１のケース蓋体３５に向けられる一端部は開放されており、内周に雌ネジ３４１１が形成されている。収容部３４２のケース蓋体３５に向けられる一端部３４２１も開放されているが、該端部３４２１は収容部３４１の一端部より奥まった位置にある。
【００２６】
収容部３４１、３４２の他端部は共通の奥壁３４３にて閉じられており、該奥壁にはその中央部に第２収容部３４２内に通じるコード通し孔３４３１が形成されているとともに第１収容部３４１内へ通じるコード通し孔３４３２も形成さている。これら収容部３４１、３４２、補強部３４０、３４０’及び奥壁３４３は一体的に形成されている。
【００２７】
ケース蓋体３５は前記第１収容部３４１の雌ネジ３４１１に螺合可能の雄ネジ３５１を有するとともに中央部にコード通し孔３５２を形成した突出部３５３を有している。
【００２８】
スイッチ操作部材３２は中央にコード通し孔３２１を貫通形成した円柱ロッド状のもので、図４（Ｂ）にも示すように、一端部にコード挟着開放機構４（コード保持機構の１例）を提供するための拡縮部４１が一体的に形成されており、他端部側には、スイッチ可動子３１２を受け入れる可動子受入れ部３２２及びこれから肉厚方向に上昇している可動子押圧部３２３（図４（Ｂ）も参照）が形成されている。なお、第２収容部３４２の一端部３４２１は拡縮部４１と共にコード挟着開放機構４を形成する。
【００２９】
前記拡縮部４１は、後述するように挿通された通電コード２の周囲に等中心角度間隔で配置された、本例では四つの挟着用部材４１１からなっており、各挟着用部材４１１はスイッチ操作部材３２の一端部に一体的に形成され、該端部に片持ち支持されており、外力が作用しないときは拡開しているが、外周側から押されると互いに接近して通電コード２を挟着するように撓むことができる。
【００３０】
スイッチ３１は、奥壁３４３のコード通し孔３４３２に挿通されて第１収容部３４１内へ引き込まれた通電コード２に接続されており、第２収容部３４２の外周に形成した平坦面３４２０に沿って第１収容部３４１内へ挿入され、接着剤等で定位置に固定されている。該スイッチ挿入のとき、スイッチ可動子３１１は第２収容部壁に形成したスリット３４２０’に沿って奥へ入れられ、第２収容部３４２内へ突出可能に配置される。
【００３１】
また、コイルバネ３３はケース３４の第２収容部３４２の奥側に奥壁３４３に当接するまで挿入されており、次いで前記スイッチ操作部材３２が該収容部３４２内に挿入されている。バネ３３は収容部３４２内で伸縮可能であり、操作部材３２は収容部３４２に案内されて図３中左右方向（検出器ケース３４内における通電コード通し方向）に往復動できる。
【００３２】
スイッチ３１に接続された通電コード２は、スイッチ３１からすぐに外れてしまわないように、前記奥壁３４３に適当な固定手段（本例では接着剤３４３３）にて強固に保持され、一旦検出器ケース３４外へ出てループ２１を描き、再び奥壁孔３４３１からケース３４内へ入り、コイルバネ３３、スイッチ操作部材３２のコード通し孔３２１、挟着開放機構４の拡縮部４１内及び蓋体３５のコード通し孔３５２に挿通されて蓋体３５の外側へ延びている。
【００３３】
図３に示すように、ケース蓋体３５を検出器ケース３４から外した状態では、スイッチ操作部材３２がバネ３３に押されて図中右方向へ移動し、これにより部材３２はスイッチ可動子受入れ部３２２にスイッチ可動子３１１を受け入れてスイッチ接点を開く位置Ｐ２をとる。また、これとともに拡縮部４１が第２収容部３４２から押し出されて拡開し、コード２を解放する解放位置に設定される。
【００３４】
図５に示すように、ケース蓋体３５を検出器ケース３４に螺合装着すると、蓋体の中央突出部３５３により前記拡縮部４１が第２収容部３４２の一端部３４２１に押し込まれ絞られ（細められ）、コード２を挟着保持する挟着位置に設定されるとともに、スイッチ操作部材３２が押圧部３２３でスイッチ可動子３１１を押圧してスイッチ接点を開かせる位置Ｐ１に配置される。
【００３５】
以上説明した盗難検出器３は、図５に示すように簡単に盗難監視対象商品Ｗに取り付けることができる。すなわち、図３に示すように、ケース蓋体３５を検出器ケース３４から外し、通電コード２が検出器ケース３４の内外で移動可能な状態としておき、かかる状態で、図５に示すように、検出器ケース３４からループ状に引き出された通電コード部分２１を、その長さを自由に調節して盗難監視対象商品Ｗの適当な部分に嵌め、次いでケース蓋体側へ引き出されている通電コード部分２２を持って引き寄せることで、該ループ部分を商品Ｗに、該商品が脱離しないようにしっかりと巻き付け、この状態を維持したままケース蓋体３５を通電コード２に沿って検出器ケース３４へ移動させ、該ケースに螺合装着する。
【００３６】
すると、ケース蓋体３５の検出器ケース３４への装着に伴い、検出器ケース３４内ではコード挟着解放機構４が蓋体３５の中央突出部３５３により挟着位置に設定され、これにより、商品Ｗにしっかりと巻き付けられた通電コード２は緩みが防止され、商品Ｗにしっかりと巻き付けられた状態が維持される。さらに、スイッチ操作部材３２が検出用スイッチ３１のスイッチ接点３１２を閉じる第１位置Ｐ１に配置され、その位置Ｐ１に維持される。この状態でケース蓋体３５から引き出されている通電コード２を図１に示す警報装置１に接続することで、該商品の盗難を監視することができる。
【００３７】
図１には、監視対象商品例として眼鏡Ｇ、カメラ用望遠レンズＬ、髭反り器Ｓが示され、眼鏡Ｇのつる部ｇ、カメラ用望遠レンズＬの胴部、髭反り器Ｓの胴部のそれぞれに盗難検出３を取り付けた状態が示されている。
【００３８】
警報装置１は、後述するように、それに接続された既述の盗難検出器３におけるスイッチ接点３１２が開いたり、盗難検出器３を警報装置１へ接続している通電コード２が切断されたり、無理やり引っ張られるなどして断線したり、コード２が警報装置１から外されるなどすると警報を発するものである。
【００３９】
商品を万引きしようとする者など、許可されない人物が商品に取り付けられたかかる盗難検出器３について、商品を通電コードループ部分２１から取り外そうとしてケース蓋体３５を検出器ケース３４から外すと、スイッチ操作部材３２がバネ３３に押されて第２位置Ｐ２に配置されるとともにコード挟着解放機構４が解放位置に設定され、操作部材３２の第２位置Ｐ２への配置により検出用スイッチ３１の可動子３１１がスイッチ接点３１２を開く位置に突出し、かくしてそのような行為が検出され、警報装置１において警報が発せられる。
【００４０】
また、許可されない人物が商品に取り付けられた盗難検出器３について、商品を取り外そうと通電コード２を切断したり、無理やり引っ張って断線させたり、或いは通電コード２を警報装置１から抜いたりすると、スイッチ接点３１２が開いた場合と同様にかかる行為が検出され、警報装置１において警報が発せられる。
【００４１】
次に図２を参照して商品盗難監視装置１０の電気回路について説明しておく。
まず警報装置１は、警報素子としてブザーＢＺ１及び発光ダイオードランプＬＰ１、並びに盗難検出器３のスイッチ３１から通電コード２を介して送られてくる接点情報（検出情報）に基づき警報素子を駆動するための駆動回路を有している。
【００４２】
警報装置１は、検出器３から延びるコード２を接続するためのコネクタ（雌コネクタ）６１を本例では五つ有している。コード２の警報装置１に接続する側の端部にはコネクタ６１に対応するコネクタ（雄コネクタ）２０が設けられており、コード２を警報装置１に容易に接続することができる。コード２が接続されないコネクタ６１には、短絡線６２が接続される。
【００４３】
警報装置１においては、検出器３の接点状態に基づき、リレーコイルＲＣの励磁状態や、トランジスタＴｒ１のオン／オフを制御する。これにより、リレー接点ＲＳ１及びＲＳ２の開閉状態を制御し、警報素子への電源ＰＳからの電圧印加を制御する。リレー接点ＲＳ１及びＲＳ２は、いずれもリレーコイルＲＣの励磁状態に応じて開閉する。リレー接点ＲＳ１は三つの端子ＲＳ１ａ、ＲＳ１ｂ、ＲＳ１ｃを有しおり、端子ＲＳ１ｃがコモン端子である。端子ＲＳ１ａとＲＳ１ｃで常開接点が構成されている。また、端子ＲＳ１ｂとＲＳ１ｃで常閉接点が構成されている。もう一方のリレー接点ＲＳ２は常開接点である。
【００４４】
この警報装置１を使用するときには、各検出器３を商品に取り付けて、スイッチの接点３１２を閉じた後、メインスイッチＭＳＷを閉じる。この初期状態においては、トランジスタＴｒ１はオフしており、リレーコイルＲＣは励磁されておらず、リレー接点ＲＳ２は開いている。したがって、警報素子であるブザーＢＺ１及びランプＬＰ１には電源ＰＳから電圧が印加されておらず、警報は発せられていない。
【００４５】
初期状態から少なくとも一つの検出器３における接点３１２が開くと、トランジタＴｒ１はオンして、リレーコイルＲＣが励磁され、リレー接点ＲＳ２が閉じ、ブザーＢＺ１及びランプＬＰ１に電圧が印加される。これにより、警報素子であるブザーＢＺ１及びランプＬＰ１は警報を発する。リレーコイルＲＣは一度励磁されると、これに電源ＰＳと直列に接続された自己接点ＲＳ２によって励磁状態が保持されるため、トランジスタＴｒ１がオフしても、ブザーＢＺ１及びランプＬＰ１は警報を発し続ける。メインスイッチＭＳＷを切るまで、この警報は継続する。
【００４６】
初期状態からコード２の電線（リード線）２１又は（及び）２２が切断された場合、コード２が警報装置１のコネクタ６１から引き抜かれた場合等にも、警報が発せられる。なお、図２の右側の検出器３のように、スイッチ接点３１２と並列にブザー、ＬＥＤランプ等の警報素子（本例では、ブザーＢＺ２）を接続してもよい。このようにすれば、接点３１２が閉じているときには、ブザーＢＺ２には電圧が印加されず、警報を発しない。また、接点３１２が開くとブザーＢＺ２には電源ＰＳから抵抗Ｒ２を介して電圧が印加され、ブザーＢＺ２から警報が発せられる。
【００４７】
このように警報器を検出器３に配置すれば、盗み、万引きが行われる現場にて警報が発せられる。さらに言うと、検出器３を商品から外した盗人の手元にて警報が発せられる。警報が盗人の手元から少しでも離れた位置で発せられるよりも、このように盗人の手元にて警報が発せられる方が、盗難、万引きを抑制できることもある。また、この警報によって、盗人に商品を盗もうとする行為が見つかったことを、その盗人にも知らしめることができる。勿論、警報が発せられていることに盗人が気がつかない場所（例えば、商品の展示場所から離れた場所）で警報が発せられるようにしてもよい。
【００４８】
図６は図３、図５に示すコード挟着解放機構４に代わる機構４’を採用した盗難検出器３’を示している。検出器３’におけるコード挟着解放機構４’は、検出器ケース３４における第２収容部３４２のケース蓋体３５へ向け漸次拡開した端部３４２１’と、蓋体３５に一体的に形成された拡縮部４１’とで構成されている。
【００４９】
拡縮部４１’は、通電コード２の周囲に所定中心角度間隔で配置され、ケース蓋体３５の中央突出部３５３に一体的に形成されるとともに片持ち支持された複数の挟着用部材４１１’からなる。蓋体３５を検出器ケース３４に螺合装着すると拡縮部４１’が第２収容部の漸次拡開端部３４２１’に入り込んで絞られコード２を挟着保持する挟着位置に設定されるとともにスイッチ操作部材３２が拡縮部４１’に押されてスイッチ接点を閉じる第１位置Ｐ１に配置される。
【００５０】
蓋体３５を検出器ケース３４から外すと、拡縮部４１’は第２収容部の漸次拡開端部３４２１’から脱して拡がり、コード２を解放する解放位置に設定されるとともにスイッチ操作部材３２がバネ３３に押されて、スイッチ接点を開く第２位置に配置される。
【００５１】
【発明の効果】
以上説明したように本発明によると、接着剤により接着取り付けしたり、商品に設けられている雌ネジ部等を利用して取り付けるといった手法によるのではなく、そのような取付けが不可能又は困難な商品についても、盗難検出可能に、簡単に取り付けることができる盗難検出器を提供することができる。
【００５２】
また本発明によると、商品に取り付けるべき盗難検出器の、接着剤や商品に設けられている雌ネジ部等を利用する取り付けが不可能又は困難な監視対象商品についても商品盗難を監視できる商品盗難監視装置を提供することができる。
【図面の簡単な説明】
【図１】本発明の１実施形態に係る商品盗難監視装置の概略構成を示す図である。
【図２】図１に示す監視装置の電気回路図である。
【図３】商品への取付け前の盗難検出器の断面図である。
【図４】図４（Ａ）は図３のＸ−Ｘ線に沿う断面図であり、図４（Ｂ）はスイッチ操作部材の平面図である。
【図５】商品へ取り付けた状態の盗難検出器の断面図である。
【図６】本発明の他の実施形態に係る盗難検出器の断面図である。
【符号の説明】
１０  商品盗難監視装置
１  警報装置
２  通電コード
２１  コード２のループ部分
２２  コード２のケース３４外へ出た部分
２０  コネクタ
３  盗難検出器
３１  検出用スイッチ
３１１  スイッチ可動子
３１２  スイッチ接点
３２  スイッチ操作部材
３２１  コード通し孔
３２２  可動子受入れ部
３２３  可動子押圧部
Ｐ１  操作部材３２のスイッチ接点を閉じる第１位置
Ｐ２  操作部材３２のスイッチ接点を開くる第２位置
３３  圧縮コイルバネ
３４  検出器ケース
３４１  第１収容部
３４１１  雌ネジ
３４２  第２収容部
３４２１  収容部３４２の一端部
３４２０  収容部３４２外周の平坦面
３４２０’収容部３４２のスリット
３４０、３４０’補強部
３４３  奥壁
３４３１  コード通し孔
３４３２  コード通し孔
３４３３  接着剤
３５  ケースの蓋体
３５１  雄ネジ
３５２  コード通し孔
３５３  中央突出部
４、４’コード挟着開放機構
４１、４１’拡縮部
４１１、４１１’  挟着用部材
Ｗ  監視対象商品
Ｇ  眼鏡
ｇ  眼鏡つる部
Ｌ  望遠レンズ
Ｓ  髭反り器
【図１】
2004355169.tif 000003
【図２】
2004355169.tif 000004
【図３】
2004355169.tif 000005
【図４】
2004355169.tif 000006
【図５】
2004355169.tif 000007
【図６】
2004355169.tif 000008